(57)【特許請求の範囲】
【請求項１】
法面上に、複数の金網を起立状態で互いに組み合わせて、所定形状の複数の網目に細分化される枠を形成し、その枠内にチップ材を充填してなる法面保護方法であって、
前記金網の全部または一部に、上縁に前記法面の勾配上り側に向けてストッパ片を折曲形成したものを用いたことを特徴とする法面保護方法。
【請求項２】
任意の網目内の一部に植生土嚢を配置してからチップ材を充填する請求項１に記載の法面保護方法。
【発明の詳細な説明】
【０００１】
【発明の属する技術分野】
本発明は、造成した道路や建物に面する法面を保護する法面保護方法に関する。
【０００２】
【従来の技術】
従来の法面保護方法としては、型枠となる帯状のクリンプ金網を左右に添設した鉄筋を井桁状に配筋し、モルタルやコンクリート等の固化材を吹き付けて、井桁状の法枠を形成する方法が良く用いられている。また、型枠を使わずに鉄筋に沿ってモルタル等を断面半円状に吹き付けて簡易法枠を形成する方法も知られている。
【０００３】
一方、土木工事等においては、伐採木や木の根等の廃木が発生しており、この処理方法としては、廃木を大型シュレッダーでチップ化し、このチップ材を、植生基盤に用いたり、堆肥化して緑化基盤材として利用したり、造成地のマルチング材として利用したりする方法が試みられている。
【０００４】
【発明が解決しようとする課題】
上記従来の法面保護は、モルタル等の固化材を吹き付けるため、施工や養生に時間がかかり、工期が比較的長くなってしまう。
一方、チップ材の処理は、植生基盤に用いるためには、チップを細かく粉砕して１５ｍｍの篩を通したものとする必要があり、手間と経費がかさむ。加えて単位面積当たりの処理量も比較的少ない。
また、緑化基盤材とする場合、堆肥製造工場で別途堆肥化処理をする必要があり、堆肥化するのに約６ヶ月を要するため、やはり時間と経費がかかってしまう。さらに、マルチング材とする場合、風雨によるチップ材の流失、流亡対策が必要となる。
【０００５】
そこで、請求項１に記載の発明は、簡単且つ低コストな法面保護と、チップ材の有効な処理とを同時に実行できる法面保護方法を提供することを目的としたものである。
【０００６】
【課題を解決するための手段】
上記目的を達成するために、請求項１に記載の発明は、法面上に、複数の金網を起立状態で互いに組み合わせて、所定形状の複数の網目に細分化される枠を形成し、その枠内にチップ材を充填してなる法面保護方法であって、前記金網の全部または一部に、上縁に前記法面の勾配上り側に向けてストッパ片を折曲形成したものを用いたことを特徴とするものである。
請求項２に記載の発明は、請求項１の目的に加えて、チップ材への植生の促進を図るために、任意の網目内の一部に植生土嚢を配置してからチップ材を充填する方法としたものである。
【０００７】
【発明の実施の形態】
以下、本発明の実施の形態を図面に基づいて説明する。
図１において、１は、本発明の法面保護方法に使用する基材で、帯状のクリンプ金網の長手方向両端を互いに逆方向へくの字状に折り曲げて、直線部２と接続部３，３とを形成してなる。この基材１は、例えば直線部２の長さが６４０ｍｍ、両端の接続部３の長さが夫々１００ｍｍ、高さが１５０ｍｍで形成される。また、基材１の長手方向の少なくとも一方の端縁は、短手方向の線材が突出しないように切断処理を行うか、端縁全長に亘って保護部材で覆うかするのが望ましい。
また、図２に示す４は、同じく帯状のクリンプ金網からなる縁材で、例えば長さが１１０５ｍｍ、高さが１５０ｍｍで形成され、この縁材４も、長手方向の少なくとも一方の端縁は、基材１と同様の切断処理か保護部材による保護を行うのが望ましい。
【０００８】
以上の如く構成された基材１及び縁材４を用いた法面保護の施工手順を説明する。なお、本発明の法面保護方法は、傾斜４０°以下の緩斜面に施工するのが適当である。
まず、図３に示すように、法面における施工範囲５を、横向きで法面に対して垂直に起立させた縁材４，４・・で囲む。縁材４同士の接続は、所定長さで重ね合わせた端部同士を金具及びボルトで固定する。コーナー部分は、２枚の縁材４，４の端部同士を直角に接合しても良いし、一枚の縁材４を直角に折り曲げて使用しても良い。縁材４，４・・の適宜箇所は留杭によって法面と固定する。
【０００９】
次に、縁材４，４・・で囲まれた範囲内で、基材１，１・・を同じく横向きで法面に対して垂直に起立させて互いに組み合わせ、図３，４のように当該範囲内を複数の網目６，６・・で細分化し、接続部３，３同士と、縁材４際では接続部３と縁材４とを金具及びボルトで接続する。このとき、向きの異なる基材１同士は、例えば図４に示す基材１（Ａ），１（Ｂ）のように網目６，６・・を形成する辺の位置によって接続部３，３の折り曲げ方向が互いに逆となる。よって、基材１の長手方向の両端縁に線材の切断処理か保護部材の覆いかがなされていれば、基材１を幅方向で逆向きにすることで接続部３の折り曲げ方向の左右にかかわらず両方使用できるが、端縁処理が一方のみの場合は、接続部３の折り曲げ方向が互いに逆となる２タイプの基材１を用意して、網目６を形成する辺の位置に応じて左右を使い分ける必要がある。
そして、縁材４と同様に基材１，１・・の適当な位置を留杭で固定する。
【００１０】
こうして基材１，１・・と縁材４，４・・とによって網目６，６・・で細分化される枠７を形成した後、図５に示すように、各網目６，６・・における勾配下り側のコーナー部に、基材１と略同じ高さの植生土嚢８，８・・を夫々配置すると共に、それ以外の部分で枠７内にチップ材９を基材１及び縁材４と同じ高さまで充填して、植生土嚢８を除いて枠７内にチップ材９を敷き詰める。なお、勾配下り側の縁材４，４の外側（枠７の外側）には、例えば植生土嚢８，８・・等の重しを並べて縁材４の補強を図るのが望ましい。また、チップ材９の充填後は、チップ材９の飛散防止のために枠７の表面にネットを張ったり、樹脂を散布して表面を固化させたりしても良い。
【００１１】
以上の如く構成された法面保護方法によれば、処理に問題のあったチップ材９を大きさにかかわらず大量に使用でき、チップ材９の有効な処理が可能となる。
特に、枠７を形成する基材１及び縁材４に金網を使用しているため、充填されたチップ材９の排水性が良くなると共に、植生土嚢８やチップ材９に植生した植物の根が広く且つ深く絡み合い、基材１と縁材４、チップ材９とが良好に馴染んで法面の一層の安定に繋がる。また、接続部３同士の継手部分に自在性があるので、法面の形状に適合しやすく、枠７と法面との密着施工が可能となる。さらに、モルタル等の固化材を使用せず、軽量な金網で枠７を形成できるから、作業性や経済性に優れ、工期の短縮化も図られる。
そして、ここでは、各網目６，６・・に植生土嚢８を配置してからチップ材９を充填しているから、チップ材９への植生の促進が期待できる。
【００１２】
なお、基材１及び縁材４の形状は、例えば図６，７に示すように、直線部２の上端縁に亘って帯状のストッパ片１０，１１を夫々直角に折曲形成し、図８のように、縁材４ではストッパ片１１が枠７内に向くように、基材１ではストッパ片１０が勾配上り側へ向くように夫々配置すれば（よって網目６の左用と右用との基材１ではストッパ片１０の折曲方向は互いに逆となる）、各網目６ごとのチップ材９の安定がより効果的に得られる。但し、これらのストッパ片は、必ずしも基材や縁材の直線部全長に亘って設ける必要はなく、基材等の直線部方向で長さを短くしたり、断続的に複数設けたりしても差し支えない。また、ストッパ片の突出長さをより長くしたり、帯状でなく左右何れかへ徐々に長くなるよう傾斜状に形成したりもできる。さらに、一部の基材または縁材にストッパ片を設けることも可能である。その他の施工方法は図３〜５で示した手順と同じで、当然同じ効果も得られる。
【００１３】
また、網目の形状は、上記形態に限定するものではなく、枠内を所定形状に細分可能であれば、四角形以外に、三角形、五角形等の多角形の選択も可能で、基材も網目形状に合わせて変更できる。さらには基材を円弧状にして連続波形や連続円形の網目に細分化することもできる。
そして、上記形態では、網目内に夫々植生土嚢を配置しているが、必ずしも各網目ごとに入れる必要はなく、所定の網目数ごとに植生土嚢を配置したり、チップ材のみを充填した網目と、植生土嚢のみを入れた網目とを交互に形成したりする等の変更は可能である。勿論、植生土嚢をなくして、枠内全部をチップ材で充填しても差し支えない。
【００１４】
【発明の効果】
請求項１に記載の発明によれば、処理に問題のあったチップ材を大きさにかかわらず大量に使用でき、チップ材の有効な処理が可能となる。特に、枠の形成に金網を使用しているため、充填されたチップ材の排水性が良くなると共に、チップ材に植生した植物の根が広く且つ深く絡み合い、金網とチップ材とが良好に馴染んで法面の一層の安定に繋がる。また、金網の接続部同士の継手部分に自在性があるので、法面の形状に適合しやすく、枠と法面との密着施工が可能となる。さらに、モルタル等の固化材を使用せず、軽量な金網で枠を形成できるから、作業性や経済性に優れ、工期の短縮化も図られる。
そして、前記ストッパ片を折曲形成した金網を全部または一部に用いたことで、各網目ごとのチップ材の安定をより効果的に得ることができる。
請求項２に記載の発明によれば、請求項１の効果に加えて、任意の網目内の一部に植生土嚢を配置してからチップ材を充填する構成としたことで、チップ材への植生の促進を図ることができる。
【図面の簡単な説明】
【図１】基材の平面及び正面図である。
【図２】縁材の平面及び正面図である。
【図３】施工方法を示す説明図である。
【図４】施工方法を示す説明図である。
【図５】施工方法を示す説明図である。
【図６】基材の変更例を示す平面及び正面図である。
【図７】縁材の変更例を示す平面及び正面図である。
【図８】変更例の基材及び縁材による施工方法を示す説明図である。
【符号の説明】
１・・基材、２・・直線部、３・・接続部、４・・縁材、５・・施工範囲、６・・網目、７・・枠、８・・植生土嚢、９・・チップ材、１０，１１・・ストッパ片。
【図１】
0003708908.tif 000002
【図２】
0003708908.tif 000003
【図３】
0003708908.tif 000004
【図４】
0003708908.tif 000005
【図５】
0003708908.tif 000006
【図６】
0003708908.tif 000007
【図７】
0003708908.tif 000008
【図８】
0003708908.tif 000009